(57)【要約】      （修正有）【課題】本来有する電力を出力することができる太陽電池モジュールを提供する。【解決手段】太陽電池モジュールは、１又は複数の太陽電池セルＣがそれぞれ直列に接続されて複数のセル群ＣＧが構成され、該複数のセル群がそれぞれ中間電極配線Ｌａによって接続されて２つのストリングＳが構成され、該２つのストリングが並列に接続されている。２つのストリングのうち、一方の第１ストリングにおける太陽電池セルのセル数と、他方の第２ストリングにおける太陽電池セルのセル数とが等しい。【選択図】図１
2020181905.tif 000002
【特許請求の範囲】
【請求項１】
１又は複数の太陽電池セルがそれぞれ直列に接続されて複数のセル群が構成され、該複数のセル群がそれぞれ中間電極配線によって接続されて２つのストリングが構成され、該２つのストリングが並列に接続され、
前記２つのストリングのうち、一方の第１ストリングにおける前記太陽電池セルのセル数と、他方の第２ストリングにおける前記太陽電池セルのセル数とが等しいことを特徴とする太陽電池モジュール。
【請求項２】
請求項１に記載の太陽電池モジュールであって、
前記第１ストリングにおける前記太陽電池セル及び前記第２ストリングにおける前記太陽電池セルが太陽電池モジュール本体の所定の列設方向に列設され、前記第１ストリング及び前記第２ストリングが前記列設方向に直交する直交方向に並設され、前記複数のセル群の少なくとも一方側に接続される端部電極配線が前記太陽電池モジュール本体の前記列設方向における少なくとも一方側の端部に設けられていることを特徴とする太陽電池モジュール。
【請求項３】
請求項２に記載の太陽電池モジュールであって、
前記太陽電池モジュール本体の前記列設方向における一方側の端部に設けられる前記端部電極配線が前記直交方向に沿って設けられていることを特徴とする太陽電池モジュール。
【請求項４】
請求項１から請求項３までの何れか１つに記載の太陽電池モジュールであって、
前記第１ストリング及び前記第２ストリングにおける前記太陽電池セルのうち少なくとも１つが分割セルで構成されていることを特徴とする太陽電池モジュール。
【請求項５】
請求項１から請求項４までの何れか１つに記載の太陽電池モジュールであって、
太陽電池モジュール本体が直角の角部及び直角以外の角度の角部を有する多角形状に形成されていることを特徴とする太陽電池モジュール。
【請求項６】
請求項５に記載の太陽電池モジュールであって、
前記多角形状は、３つの直角の角部を有する五角形状、２つの直角の角部を有する四角形状又は直角三角形状であることを特徴とする太陽電池モジュール。
【発明の詳細な説明】
【技術分野】
【０００１】
本発明は、太陽電池モジュールに関する。
【背景技術】
【０００２】
太陽電池モジュールとして、例えば、１又は複数の太陽電池セルがそれぞれ直列に接続されて複数のセル群が構成され、該複数のセル群がそれぞれ中間電極配線によって接続されて２つのストリングが構成され、該２つのストリングが並列に接続される場合、次のような不都合がある。
【０００３】
すなわち、このような太陽電池モジュールでは、２つのストリングのうち、一方のストリングにおける太陽電池セルのセル数と、他方のストリングにおける太陽電池セルのセル数とが異なっている場合、一方のストリングと他方のストリングとで電圧が異なることになる。そうすると、一方のストリングと他方のストリングとの間で逆流を起こし、電力損失が大きくなる。従って、本来有する電力を出力することができない。
【先行技術文献】
【特許文献】
【０００４】
【特許文献１】国際公開第２０１８／１７３２１６号
【発明の概要】
【発明が解決しようとする課題】
【０００５】
この点に関し、特許文献１に記載の太陽電池モジュールは、単に複数のセル群を複雑に接続したものに過ぎず、複数のセル群がそれぞれ接続された２つのストリングを並列に接続したものではない。
【０００６】
そこで、本発明は、１又は複数の太陽電池セルがそれぞれ直列に接続されて複数のセル群が構成され、該複数のセル群がそれぞれ中間電極配線によって接続されて２つのストリングが構成され、該２つのストリングが並列に接続される場合に、本来有する電力を出力することができる太陽電池モジュールを提供することを目的とする。
【課題を解決するための手段】
【０００７】
前記課題を解決するために、本発明に係る太陽電池モジュールは、１又は複数の太陽電池セルがそれぞれ直列に接続されて複数のセル群が構成され、該複数のセル群がそれぞれ中間電極配線によって接続されて２つのストリングが構成され、該２つのストリングが並列に接続された太陽電池モジュールであって、前記２つのストリングのうち、一方の第１ストリングにおける前記太陽電池セルのセル数と、他方の第２ストリングにおける前記太陽電池セルのセル数とが等しいことを特徴とする。
【発明の効果】
【０００８】
本発明によると、１又は複数の太陽電池セルがそれぞれ直列に接続されて複数のセル群が構成され、該複数のセル群がそれぞれ中間電極配線によって接続されて２つのストリングが構成され、該２つのストリングが並列に接続される場合に、本来有する電力を出力することが可能となる。
【図面の簡単な説明】
【０００９】
【図１】本実施の形態に係る多角形状の太陽電池モジュールの例を概略的に示す平面図である。
【図２】本実施の形態に係る多角形状の太陽電池モジュールの例を概略的に示す平面図である。
【図３Ａ】本実施の形態に係る矩形状の太陽電池モジュールの例を概略的に示す平面図である。
【図３Ｂ】本実施の形態に係る矩形状の太陽電池モジュールの例を概略的に示す平面図である。
【図４】太陽電池モジュールにおける内部構造を示す縦断面図である。
【図５Ａ】本実施の形態に係る太陽電池モジュールとは異なる他の形態を概略的に示す平面図である。
【図５Ｂ】本実施の形態に係る太陽電池モジュールとは異なる他の形態を概略的に示す平面図である。
【図５Ｃ】本実施の形態に係る太陽電池モジュールとは異なる他の形態を概略的に示す平面図である。
【図５Ｄ】本実施の形態に係る太陽電池モジュールとは異なる他の形態を概略的に示す平面図である。
【図６】太陽電池モジュールを設置した屋根を概略的に示す平面図である。
【図７】図６に示す屋根の設置面に設置されている太陽電池モジュール及び矩形状の太陽電池モジュールを設置するモジュール設置領域を概略的に示す平面図である。
【図８Ａ】図３Ｂに示す太陽電池モジュールの他の例を示す平面図である。
【図８Ｂ】図３Ｂに示す太陽電池モジュールのさらに他の例を示す平面図である。
【図８Ｃ】図５Ａに示す太陽電池モジュールを示す平面図である。
【図９】図１に示す太陽電池モジュールの他の例を示す平面図である。
【図１０Ａ】図８Ａに示す太陽電池モジュールを３段３列で並設した並設パターンを示す平面図である。
【図１０Ｂ】図８Ａに示す太陽電池モジュールを２段２列と図８Ｂに示す太陽電池モジュールを２段１列とで並設した並設パターンを示す平面図である。
【図１０Ｃ】図８Ａに示す太陽電池モジュールを２段３列と図８Ｃに示す太陽電池モジュールを２段１列とで並設した並設パターンを示す平面図である。
【図１０Ｄ】図８Ｂに示す太陽電池モジュールを２段４列と図８Ｃに示す太陽電池モジュールを１段４列とで並設した並設パターンを示す平面図である。
【図１１Ａ】図７に示す設置パターンとは別の設置パターンを示す平面図である。
【図１１Ｂ】図７に示す設置パターンとは別の設置パターンを示す平面図である。
【発明を実施するための形態】
【００１０】
以下、本発明に係る実施の形態について図面を参照しながら説明する。以下の説明では、同一の部品には同一の符号を付してある。それらの名称及び機能も同じである。従って、それらについての詳細な説明は繰り返さない。
【００１１】
図１及び図２並びに図３Ａ、図３Ｂは、本実施の形態に係る太陽電池モジュールＭ１，Ｍ２の例を概略的に示す平面図である。図１及び図２では、それぞれ、太陽電池モジュール本体３０が直角の角部及び直角以外の角度の角部を有する多角形状（例えば五角形状、台形状や三角形状）の太陽電池モジュールＭ１の一例及び他の例を示している。図３Ａ及び図３Ｂでは、太陽電池モジュール本体３０が矩形状の太陽電池モジュールＭ２の一例において極性が反転するようにした例を示している。なお、図１及び図２に示す太陽電池モジュールＭ１において、極性が反転するように構成してもよい。図４は、太陽電池モジュールＭ１，Ｍ２における内部構造を示す縦断面図である。
【００１２】
太陽電池モジュールＭ１，Ｍ２は、図１及び図２並びに図３Ａ、図３Ｂに示すように、互いに並列に接続された２つのストリングＳ（１），Ｓ（２）を備えている。２つのストリングＳ（１），Ｓ（２）は、それぞれ、複数のセル群ＣＧ（１，１）〜ＣＧ（１，ｎ１），ＣＧ（２，１）〜ＣＧ（２，ｎ２）（ｎ１，ｎ２は２以上の整数）を備えている。図１及び図２に示す太陽電池モジュールＭ１では、ｎ１＝２、ｎ２＝４であり、図３Ａ、図３Ｂに示す太陽電池モジュールＭ２では、ｎ１＝３、ｎ２＝３である。
【００１３】
セル群ＣＧ（１，１）〜ＣＧ（１，ｎ１），ＣＧ（２，１）〜ＣＧ（２，ｎ２）は、それぞれ中間電極配線Ｌａ〜Ｌａ（バスバー）によって接続されている。セル群ＣＧ（１，１）〜ＣＧ（１，ｎ１），ＣＧ（２，１）〜ＣＧ（２，ｎ２）は、１又は複数の太陽電池セルＣ，Ｃ〜Ｃ（以下、単にＣで表す。）を備えている。セル群ＣＧ（１，１）〜ＣＧ（１，ｎ１），ＣＧ（２，１）〜ＣＧ（２，ｎ２）において、太陽電池セルＣは、直列に接続されている。
【００１４】
本実施の形態では、太陽電池モジュールＭ１，Ｍ２における太陽電池セルＣは、１６０ｍｍ角程度の大きさの太陽電池セル基板を２分割したものを例示している。すなわち、分割後の太陽電池セルＣは、全体として１６０ｍｍ×８０ｍｍ角程度の大きさに形成されている。
【００１５】
太陽電池セルＣは、図４に示すように、表面電極３１と裏面電極３２とを備えている。表面電極３１は、バスバー電極３１ａと、図示を省略したフィンガー電極とから構成されている。バスバー電極３１ａは、帯状のものであり、太陽電池セルＣの表面において列設方向Ｘに直線的に形成されている。フィンガー電極は、バスバー電極３１ａの両側縁から列設方向Ｘに直交する直交方向Ｙに櫛歯状に延びて多数に形成されている。フィンガー電極は、互いに一定の間隔をあけて、太陽電池セルＣの受光面全体を網羅するようにパターン形成されている。また、裏面電極３２は、太陽電池セルＣの裏面において列設方向Ｘに直線的に帯状となるように形成されており、バスバー電極３１ａと表裏対向するように設けられている。
【００１６】
太陽電池モジュールＭ１，Ｍ２は、太陽電池セルＣと、配線材３３（インターコネクタ）と、透光性基板３４と、保護部材３５とを備えている。太陽電池セルＣは、表面電極３１と裏面電極３２とを備えている。配線材３３は、一の太陽電池セルＣの表面電極３１のバスバー電極３１ａと他の太陽電池セルＣの裏面電極３２とに接続されて隣り合う太陽電池セルＣ，Ｃ同士を直列に接続する配線材である。透光性基板３４は、太陽電池セルＣの表面側（図４では上側）に対向するように設けられている。保護部材３５は、太陽電池セルＣの裏面側（図４では下側）に対向するように設けられている。
【００１７】
太陽電池モジュールＭ１，Ｍ２は、太陽電池セルＣと配線材３３とが透光性の封止材３６によって透光性基板３４と保護部材３５との間に封止された構造となっている。配線材３３は、細長い短冊状に形成された基材の外表面に半田がコーティング（半田メッキ処理）された構成となっている。基材の材質としては特に限定されないが、例えば銅等の金属を用いることができる。
【００１８】
配線材３３の一方側（図４では左側）が太陽電池セルＣの表面のバスバー電極３１ａに半田接続されている。配線材３３の他方側（図４では右側）が隣接する太陽電池セルＣ裏面の裏面電極３２に半田接続されている。なお、本実施の形態では、太陽電池セルＣにバスバー電極３１ａを５本形成しているが、１本又は平行に２本から４本若しくは６本以上形成される場合もある。この場合には、裏面電極３２も１本又は平行に２本から４本若しくは６本以上形成され、配線材３３〜３３も、１本又は平行に２本から４本若しくは６本以上使用される。
【００１９】
そして、２つのストリングＳ（１），Ｓ（２）のうち、一方の第１ストリングＳ（１）における太陽電池セルＣのセル数と、他方の第２ストリングＳ（２）における太陽電池セルＣのセル数とが等しい。図１及び図２に示す例では第１ストリングＳ（１）及び第２ストリングＳ（２）のそれぞれのセル数は、何れも８個である。図３Ａ、図３Ｂに示す例では第１ストリングＳ（１）及び第２ストリングＳ（２）のそれぞれのセル数は、何れも３０個である。
【００２０】
本実施の形態によれば、第１ストリングＳ（１）における太陽電池セルＣのセル数と、第２ストリングＳ（２）における太陽電池セルＣのセル数とが等しいので、一方のストリングＳ（１）と他方のストリングＳ（２）とで電圧を同じにすることができる。これにより、一方のストリングＳ（１）と他方のストリングＳ（２）との間での逆流の発生を回避することができ、電力損失を効果的に防止することができる。従って、本来有する電力を出力することができる。
【００２１】
（第１実施形態）
本実施の形態において、図１及び図２並びに図３Ａ、図３Ｂに示すように、第１ストリングＳ（１）における太陽電池セルＣ及び第２ストリングＳ（２）における太陽電池セルＣは、太陽電池モジュール本体３０の所定の列設方向Ｘに列設されている。第１ストリングＳ（１）及び第２ストリングＳ（２）は、直交方向Ｙに並設されている。第１ストリングＳ（１）及び第２ストリングＳ（２）のそれぞれにおいて、セル群ＣＧ（１，１）〜ＣＧ（１，ｎ１），ＣＧ（２，１）〜ＣＧ（２，ｎ２）が直交方向Ｙに並設されている。セル群ＣＧ（１，１）〜ＣＧ（１，ｎ１），ＣＧ（２，１）〜ＣＧ（２，ｎ２）の少なくとも一方側に接続される端部電極配線Ｌｂ〜Ｌｂ（バスバー）は、太陽電池モジュール本体３０の列設方向Ｘにおける少なくとも一方側の端部に設けられている。図１及び図２に示す例ではセル群ＣＧ（１，１）〜ＣＧ（１，ｎ１），ＣＧ（２，１）〜ＣＧ（２，ｎ２）の両側に接続される端部電極配線Ｌｂ〜Ｌｂが太陽電池モジュール本体３０の列設方向Ｘにおける片側（Ｘ１）の端部に設けられている。図３Ａ、図３Ｂに示す例ではセル群ＣＧ（１，１）〜ＣＧ（１，ｎ１），ＣＧ（２，１）〜ＣＧ（２，ｎ２）の両側に接続される端部電極配線Ｌｂ〜Ｌｂが太陽電池モジュール本体３０の列設方向Ｘにおける両側（Ｘ１，Ｘ２）の端部に設けられている。
【００２２】
図１に示す例では、セル群ＣＧ（１，１）の端部電極配線Ｌｂとセル群ＣＧ（２，ｎ２）の端部電極配線Ｌｂとが接続用電極配線Ｌｃ１に接続されている。セル群ＣＧ（１，ｎ１）とセル群ＣＧ（２，１）との端部電極配線Ｌｂが接続用電極配線Ｌｃ２に接続されている。図２に示す例では、セル群ＣＧ（１，１）の端部電極配線Ｌｂとセル群ＣＧ（２，１）の端部電極配線Ｌｂとが接続用電極配線Ｌｃ１に接続されている。セル群ＣＧ（１，ｎ１）の端部電極配線Ｌｂとセル群ＣＧ（２，ｎ２）の端部電極配線Ｌｂとが接続用電極配線Ｌｃ２に接続されている。図３Ａ及び図３Ｂに示す例では、セル群ＣＧ（１，１）の端部電極配線Ｌｂとセル群ＣＧ（２，ｎ２）の端部電極配線Ｌｂとが接続用電極配線Ｌｃ１，Ｌｃ２に接続されている。セル群ＣＧ（１，ｎ１）とセル群ＣＧ（２，１）との端部電極配線Ｌｂが接続用電極配線Ｌｃ２，Ｌｃ１に接続されている。なお、図１及び図２に示す例において、太陽電池モジュール本体３０の列設方向Ｘにおける両側（Ｘ１，Ｘ２）の端部から出力するようにしてもよい。また、図３Ａ及び図３Ｂに示す例において、太陽電池モジュール本体３０の列設方向Ｘにおける片側の端部から出力するようにしてもよい。
【００２３】
（第２実施形態）
本実施の形態において、太陽電池モジュール本体３０の列設方向Ｘにおける一方側（Ｘ１）の端部に設けられる端部電極配線Ｌｂが直交方向Ｙに沿って設けられている。こうすることで、列設方向Ｘにおいて太陽電池モジュール本体３０をコンパクト化させることができる。
【００２４】
（第３実施形態）
本実施の形態において、第１ストリングＳ（１）及び第２ストリングＳ（２）における太陽電池セルＣ〜Ｃのうち少なくとも１つが分割セルで構成されている。ここで、分割セルとは、標準サイズのセル（太陽電池用ウェハ１枚分のセル、フルセルともいう。）を分割した小型のセルをいう。分割セルとしては、標準サイズのセルを半分に分割したもの（ハーフセル）、１／４に分割したものを例示できる。従って、セル１枚当たりの電流の電流値を減少（ハーフセルの場合、半減）させることができ、それだけ、太陽電池モジュールの電力損失を減少させることができる。この例では、太陽電池セルＣ〜Ｃは、ハーフセルである。
【００２５】
（第４実施形態）
図１及び図２に示す例では、太陽電池モジュールＭ１は、太陽電池モジュール本体３０が直角の角部及び直角以外の角度の角部を有する多角形状に形成されている。多角形状としては、例えば３つの直角の角部を有する五角形状、２つの直角の角部を有する四角形状又は直角三角形状を例示でき、この例では、多角形状は、３つの直角の角部を有する五角形状とされている。こうすることで、太陽電池モジュールＭ１を適用する用途を広げることができる。
【００２６】
図１及び図２に示す例では、太陽電池モジュールＭ１は、多角形状が、３つの直角の角部を有する五角形状、２つの直角の角部を有する四角形状又は直角三角形状であるで、直角以外の角度の角部を有する屋根（例えば寄せ棟屋根等の屋根）に合わせて、五角形状、四角形状又は直角三角形状の太陽電池モジュールを設けることができる。これにより、直角以外の角度の角部を有する屋根（例えば寄せ棟屋根等の屋根）に効率良く設けることができる。
【００２７】
（その他の太陽電池モジュールの形態）
図５Ａから図５Ｄは、本実施の形態に係る太陽電池モジュールＭ１，Ｍ２とは異なる他の形態を概略的に示す平面図である。図５Ａから図５Ｄでは、太陽電池モジュール本体３０ｘが矩形状の太陽電池モジュールＭｘにおいて複数のストリングＳｘ（１）〜Ｓｘ（ｍ）（ｍは２以上の整数）を直列に接続した例を示している。
【００２８】
太陽電池モジュールＭｘは、図５Ａから図５Ｄに示すように、互いに直列に接続された複数のストリングＳｘ（１）〜Ｓｘ（ｍ）を備えている。図５Ａから図５Ｄに示す太陽電池モジュールＭｘでは、ｍ＝３である。複数のストリングＳ（１）〜Ｓ（ｍ）は、それぞれ、２つのセル群ＣＧｘ（１，１）〜ＣＧｘ（１，２），ＣＧｘ（ｍ，１）〜ＣＧｘ（ｍ，２）を備えている。
【００２９】
セル群ＣＧｘ（１，１）〜ＣＧｘ（１，２），ＣＧｘ（ｍ，１）〜ＣＧｘ（ｍ，２）は、それぞれ中間電極配線Ｌａ〜Ｌａ（バスバー）によって接続されている。セル群ＣＧｘ（１，１）〜ＣＧｘ（１，２），ＣＧｘ（ｍ，１）〜ＣＧｘ（ｍ，２）は、１又は複数の太陽電池セルＣを備えている。セル群ＣＧｘ（１，１）〜ＣＧｘ（１，２），ＣＧｘ（ｍ，１）〜ＣＧｘ（ｍ，２）において、太陽電池セルＣは、直列に接続されている。２つのセル群ＣＧｘ（１，１）〜ＣＧｘ（１，２），ＣＧｘ（ｍ，１）〜ＣＧｘ（ｍ，２）は、中間電極配線Ｌａ〜Ｌａによって並列に接続されている。
【００３０】
複数のストリングＳｘ（１）〜Ｓｘ（ｍ）は、直交方向Ｙに並設されている。複数のストリングＳｘ（１）〜Ｓｘ（ｍ）のそれぞれにおいて、セル群ＣＧｘ（１，１）〜ＣＧｘ（１，２），ＣＧｘ（ｍ，１）〜ＣＧｘ（ｍ，２）が直交方向Ｙに並設されている。複数のストリングＳｘ（１）〜Ｓｘ（ｍ）は、それぞれ端部電極配線Ｌｂ〜Ｌｂ（バスバー）によって直列に接続されている。
【００３１】
なお、太陽電池モジュールＭｘにおける内部構造は、図４に示す太陽電池モジュールＭ１，Ｍ２における内部構造と同様であり、ここでは説明を省略する。
【００３２】
〔太陽電池モジュールの態様〕
図５Ａに示す太陽電池モジュールＭｘでは、正極性又は負極性（この例では正極性）の端部電極配線Ｌｂは、列設方向Ｘにおける一方側（Ｘ１）の端部の直交方向Ｙにおける一方側（Ｙ１）でストリングＳｘ（１）に設けられている。もう一方の極性（この例では負極性）の端部電極配線Ｌｂは、列設方向Ｘにおける他方側（Ｘ２）の端部の直交方向Ｙにおける他方側（Ｙ２）でストリングＳｘ（ｍ）に設けられている。
【００３３】
図５Ｂに示す太陽電池モジュールＭｘでは、正極性又は負極性（この例では正極性）の端部電極配線Ｌｂは、列設方向Ｘにおける他方側（Ｘ２）の端部の直交方向Ｙにおける一方側（Ｙ１）でストリングＳｘ（１）に設けられている。もう一方の極性（この例では負極性）の端部電極配線Ｌｂは、列設方向Ｘにおける一方側（Ｘ１）の端部の直交方向Ｙにおける他方側（Ｙ２）でストリングＳｘ（ｍ）に設けられている。
【００３４】
図５Ｃに示す太陽電池モジュールＭｘでは、正極性又は負極性（この例では正極性）の端部電極配線Ｌｂは、列設方向Ｘにおける一方側（Ｘ１）の端部の直交方向Ｙにおける一方側（Ｙ１）でストリングＳｘ（１）に設けられている。もう一方の極性（この例では負極性）の端部電極配線Ｌｂは、列設方向Ｘにおける他方側（Ｘ２）の端部の直交方向Ｙにおける中央部でストリングＳｘ（２）に設けられている。
【００３５】
図５Ｄに示す太陽電池モジュールＭｘでは、正極性又は負極性（この例では正極性）の端部電極配線Ｌｂは、列設方向Ｘにおける他方側（Ｘ２）の端部の直交方向Ｙにおける中央部でストリングＳｘ（２）に設けられている。もう一方の極性（この例では負極性）の端部電極配線Ｌｂは、列設方向Ｘにおける一方側（Ｘ１）の端部の直交方向Ｙにおける一方側（Ｙ１）でストリングＳｘ（１）に設けられている。
【００３６】
（第５実施形態）
〔太陽電池モジュールの屋根への設置〕
図６は、太陽電池モジュールＭ１，Ｍ２，Ｍｘを設置した屋根１０を概略的に示す平面図である。図７は、図６に示す屋根１０の設置面αに設置されている太陽電池モジュールＭ１，Ｍ２及び矩形状の太陽電池モジュールＭ２並びにモジュール設置領域βを概略的に示す平面図である。
【００３７】
図８Ａ及び図８Ｂは、それぞれ、図３Ｂに示す太陽電池モジュールＭ２の他の例及びさらに他の例を示す平面図である。図８Ｃは、図５Ａに示す太陽電池モジュールＭｘを示す平面図である。図９は、図１に示す太陽電池モジュールＭ１の他の例を示す平面図である。
【００３８】
図８Ａ及び図８Ｂに示す太陽電池モジュールＭ２１，Ｍ２２は、それぞれ、図３Ｂに示す太陽電池モジュールＭ２においてセル群ＣＧ（１，１）〜ＣＧ（１，ｎ１），ＣＧ（２，１）〜ＣＧ（２，ｎ２）の太陽電池セルＣのセル数を９枚及び７枚にした２つの太陽電池モジュールＭ２，Ｍ２を直列に接続したものである。図８Ａに示す太陽電池モジュールＭ２１では、直列に接続したフルセル５４枚相当（ハーフセル１０８枚）の電力を出力することができる〔５４直相当（ハーフセル１０８枚）〕。図８Ｂに示す太陽電池モジュールＭ２２では、直列に接続したフルセル４２枚相当（ハーフセル８４枚）の電力を出力することができる〔４２直相当（ハーフセル８４枚）〕。
【００３９】
図８Ｃに示す太陽電池モジュールＭｘは、図５Ａに示す太陽電池モジュールＭｘと同じものである。図８Ｃに示す太陽電池モジュールＭｘ（図５Ａに示す太陽電池モジュールＭｘ）では、直列に接続したフルセル３０枚相当（ハーフセル６０枚）の電力を出力することができる〔３０直相当（ハーフセル６０枚）〕。
【００４０】
図９に示す太陽電池モジュールＭ１は、図１に示す太陽電池モジュールＭ１において直交方向Ｙの中央を通る列設方向Ｘに沿った中央軸線を基準に線対称としたものである。図９に示す太陽電池モジュールＭ１では、直列に接続したフルセル２０枚相当（ハーフセル４０枚）の電力を出力することができる〔２０直相当（ハーフセル４０枚）〕。
【００４１】
（太陽電池モジュールの並設パターン）
図１０Ａは、図８Ａに示す太陽電池モジュールＭ２１を３段３列で並設した並設パターンＰＴａ１を示す平面図である。図１０Ｂは、図８Ａに示す太陽電池モジュールＭ２１を２段２列と図８Ｂに示す太陽電池モジュールＭ２２を２段１列とで並設した並設パターンＰＴａ２を示す平面図である。図１０Ｃは、図８Ａに示す太陽電池モジュールＭ２１を２段３列と図８Ｃに示す太陽電池モジュールＭｘを２段１列とで並設した並設パターンＰＴａ３を示す平面図である。図１０Ｄは、図８Ｂに示す太陽電池モジュールＭ２２を２段４列と図８Ｃに示す太陽電池モジュールＭｘを１段４列とで並設した並設パターンＰＴａ４を示す平面図である。
【００４２】
図１０Ａに示す並設パターンＰＴａ１では、直列に接続したフルセル５４枚相当（ハーフセル１０８枚）を３段３列にした電力を出力することができる。図１０Ｂに示す並設パターンＰＴａ２では、直列に接続したフルセル５４枚相当（ハーフセル１０８枚）を２段２列、直列に接続したフルセル４２枚相当（ハーフセル８４枚）を２段１列にした電力を出力することができる。図１０Ｃに示す並設パターンＰＴａ３では、直列に接続したフルセル５４枚相当（ハーフセル１０８枚）を２段３列、直列に接続したフルセル３０枚相当（ハーフセル６０枚）を２段１列にした電力を出力することができる。図１０Ｄに示す並設パターンＰＴａ４では、直列に接続したフルセル４２枚相当（ハーフセル８４枚）を２段４列、直列に接続したフルセル３０枚相当（ハーフセル６０枚）を１段４列にした電力を出力することができる。
【００４３】
図１１Ａ及び図１１Ｂは、図７に示す設置パターンＰＴｂ１とは別の設置パターンＰＴｂ２，ＰＴｂ３を示す平面図である。
【００４４】
図１１Ａに示す設置パターンＰＴｂ２は、図７に示す設置パターンＰＴｂ１においてモジュール設置領域βの両側の図３Ａに示す矩形状の太陽電池モジュールＭ２に代えて図８Ｃに示す矩形状の太陽電池モジュールＭｘを設置し、モジュール設置領域βに図８Ａに示す矩形状の太陽電池モジュールＭ２１を設置したものである。図１１に示す設置パターンＰＴｂ２では、直列に接続したフルセル５４枚相当（ハーフセル１０８枚）のもの３個、直列に接続したフルセル３０枚相当（ハーフセル６０枚）のもの６個、直列に接続したフルセル２０枚相当（ハーフセル４０枚）のもの６個を並設した電力を出力することができる〔５４直相当（ハーフセル１０８枚）＆３０直相当（ハーフセル６０枚）＆五角形２０直相当（ハーフセル４０枚）３段〕。
【００４５】
図１１Ｂに示す設置パターンＰＴｂ３は、図７に示す設置パターンＰＴｂ１においてモジュール設置領域βの両側の図３Ａに示す矩形状の太陽電池モジュールＭ２に代えて図８Ｃに示す矩形状の太陽電池モジュールＭｘを設置し、モジュール設置領域βに図８Ｂに示す矩形状の太陽電池モジュールＭ２２を設置したものである。図１２に示す設置パターンＰＴｂ３では、直列に接続したフルセル４２枚相当（ハーフセル８４枚）のもの３個、直列に接続したフルセル３０枚相当（ハーフセル６０枚）のもの６個、直列に接続したフルセル２０枚相当（ハーフセル４０枚）のもの６個を並設した電力を出力することができる〔４２直相当（ハーフセル８４枚）＆３０直相当（ハーフセル６０枚）＆五角形２０直相当（ハーフセル４０枚）３段〕。
【００４６】
（その他の実施形態）
第１実施形態から第５実施形態では、太陽電池セルとして、標準サイズのセル（フルセル）を半分に分割したものを用いたが、１／４に分割したものであってもよいし、フルセルのものであってもよい。
【００４７】
また、第１実施形態から第５実施形態では、受光面及び受光面の反対側の裏面の双方に電極が形成された単結晶型太陽電池モジュールに適用したが、受光面の反対側の裏面にｐ型電極及びｎ型電極が形成された裏面電極型太陽電池モジュール（いわゆるバックコンタクト型太陽電池モジュール）に適用してもよい。
【００４８】
本発明は、以上説明した実施の形態に限定されるものではなく、他のいろいろな形で実施することができる。そのため、係る実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【００４９】
１０      屋根
３０      太陽電池モジュール本体
Ｃ        太陽電池セル
ＣＧ      セル群
Ｌａ      中間電極配線
Ｌｂ      端部電極配線
Ｌｃ      接続用電極配線
Ｍ１      太陽電池モジュール
Ｍ２      太陽電池モジュール
Ｍ２１    太陽電池モジュール
Ｍ２２    太陽電池モジュール
ＰＴａ１  並設パターン
ＰＴａ２  並設パターン
ＰＴａ３  並設パターン
ＰＴａ４  並設パターン
ＰＴｂ１  設置パターン
ＰＴｂ２  設置パターン
ＰＴｂ３  設置パターン
Ｓ        ストリング
Ｘ        列設方向
Ｙ        直交方向
α        設置面
β        モジュール設置領域
【図１】
2020181905.tif 000003
【図２】
2020181905.tif 000004
【図３Ａ】
2020181905.tif 000005
【図３Ｂ】
2020181905.tif 000006
【図４】
2020181905.tif 000007
【図５Ａ】
2020181905.tif 000008
【図５Ｂ】
2020181905.tif 000009
【図５Ｃ】
2020181905.tif 000010
【図５Ｄ】
2020181905.tif 000011
【図６】
2020181905.tif 000012
【図７】
2020181905.tif 000013
【図８Ａ】
2020181905.tif 000014
【図８Ｂ】
2020181905.tif 000015
【図８Ｃ】
2020181905.tif 000016
【図９】
2020181905.tif 000017
【図１０Ａ】
2020181905.tif 000018
【図１０Ｂ】
2020181905.tif 000019
【図１０Ｃ】
2020181905.tif 000020
【図１０Ｄ】
2020181905.tif 000021
【図１１Ａ】
2020181905.tif 000022
【図１１Ｂ】
2020181905.tif 000023